(57)【要約】【課題】露受けガイドが熱交換器前面の一方向のみから取り付けできる空気調和機を提供すること。【解決手段】この発明に係る空気調和機の室内機は、屈曲した主熱交換器の上側熱交換器の空気吸い込み側に補助熱交換器を有し、上側熱交換器への屈曲部に上側熱交換器及び補助熱交換器からの凝縮水を受け、主熱交換器に導く露受けガイドと、この露受けガイドの支持部を設けた熱交換器固定具とを備えた空気調和機の室内機において、露受けガイドが熱交換器前面の一方向から挿入できるように熱交換器固定具の露受けガイド支持部に切り欠き部を設けたことを特徴とする。【選択図】　　　　図３
2004108702.tif 000002
【特許請求の範囲】
【請求項１】
屈曲した主熱交換器の上側熱交換器の空気吸い込み側に補助熱交換器を有し、前記上側熱交換器への屈曲部に前記上側熱交換器及び前記補助熱交換器からの凝縮水を受け、前記主熱交換器に導く露受けガイドと、この露受けガイドの支持部を設けた熱交換器固定具とを備えた空気調和機の室内機において、
前記露受けガイドが熱交換器前面の一方向から挿入できるように前記熱交換器固定具の露受けガイド支持部に切り欠き部を設けたことを特徴とする空気調和機の室内機。
【請求項２】
前記露受けガイド支持部の熱交換器固定具側もしくは露受けガイド側に、前記露受けガイドの挿入方向及び長手方向に対する引掛け部を設けたことを特徴とする請求項１に記載の空気調和機の室内機。
【請求項３】
前記引掛け部をＵ字形状で囲むように固定することを特徴とする請求項２に記載の空気調和機の室内機。
【請求項４】
前記露受けガイド支持部の熱交換器固定具側もしくは露受けガイド側に露受けガイドの浮き上がりを防止するリブを設けたことを特徴とする請求項１〜３の何れかに記載の空気調和機の室内機。
【発明の詳細な説明】
【０００１】
【発明の属する技術分野】
この発明は、空気調和機に係わり、詳しくは熱交換器を構成する後方に傾斜した上側熱交換器と、この上側熱交換器の空気吸い込み側に載置された補助熱交換器から滴下する凝縮水を受ける露受けガイドの作業が容易で、かつ容易に外れない取り付け構造に関するものである。
【０００２】
【従来の技術】
従来の空気調和機の室内機は、空気の吸込み口が前面と上部に設けられ、熱交換器がその吸込み口に沿うように複数に屈曲された構成になっており、かつ後方に傾斜した上側熱交換器にはそれに重なるように補助熱交換器が設けられている。この補助熱交換器、上側熱交換器に付く凝縮水を垂直熱交換器からドレンパンに効果的に導くために、垂直熱交換器から上側熱交換器に屈曲する部分に露受けガイドが設けられている。露受けガイドは、熱交換器固定具の露受けガイド支持部の穴部に露受けガイドの凸部が長手方向より挿入された後、露受けガイド支持部を支点に回転しながら熱交換器の前面方向より取り付けられる。
【０００３】
【特許文献１】
特開２００２−６１８７３号公報
【０００４】
【発明が解決しようとする課題】
従来の空気調和機の室内機の露受けガイドは以上のように構成されているので、露受けガイドの取り付け時、露受けガイドの凸部を熱交換器の長手方向より熱交換器固定具の穴部に挿入する際、熱交換器のフィン倒し部が露受けガイドの挿入方向に倒れていると、フィンに引っ掛かり作業が容易ではないという問題点があった。
【０００５】
また、露受けガイドの熱交換器への取り付け方向が長手方向と熱交換器の前面方向からの二方向を要し、作業が容易ではないという問題点があった。
【０００６】
さらに、熱交換器固定具の露受けガイド支持部に長手挿入方向と逆方向への規制がされていないため、露受けガイドが抜け易いという問題点があった。
【０００７】
この発明は、上記のような課題を解消するためになされたもので、露受けガイドが熱交換器前面の一方向のみから取り付けできる空気調和機を提供することを目的とする。
【０００８】
また、露受けガイドが容易に取り付けでき、露受けガイドが熱交換器から容易に外れない空気調和機を提供することを目的とする。
【０００９】
【課題を解決するための手段】
この発明に係る空気調和機の室内機は、屈曲した主熱交換器の上側熱交換器の空気吸い込み側に補助熱交換器を有し、上側熱交換器への屈曲部に上側熱交換器及び補助熱交換器からの凝縮水を受け、主熱交換器に導く露受けガイドと、この露受けガイドの支持部を設けた熱交換器固定具とを備えた空気調和機の室内機において、露受けガイドが熱交換器前面の一方向から挿入できるように熱交換器固定具の露受けガイド支持部に切り欠き部を設けたことを特徴とする。
【００１０】
【発明の実施の形態】
以下、この発明の実施の形態を図面に基づいて説明する
実施の形態１．
図１〜４は実施の形態１を示す図で、図１は露受けガイド付きの空気調和機の室内ユニットの側断面図、図２は熱交換器と露受けガイドの斜視図、図３、図４は露受けガイド支持部の断面図である。
【００１１】
図１、２において、壁掛け式の室内ユニット本体１の内部には、屈曲した主熱交換器２の上側熱交換器２ａの空気吸い込み側に補助熱交換器２ｂが設けられている。露受けガイド３は、主熱交換器２、補助熱交換器２ｂおよび背面熱交換器２ｃを固定する熱交換器固定具４の露受けガイド支持部４ａに挿入され、他端の引掛け部と中央のツメ部で固定され、主熱交換器２の上側熱交換器２ａへの屈曲部に取り付けられている。
【００１２】
露受けガイド３の熱交換器固定具４の露受けガイド支持部４ａへの取り付け構造について説明する。図３、図４において、熱交換器固定具４の露受けガイド支持部４ａは、熱交換器前面側に切り欠き部４ｂ、切り欠き部４ｂの下面側の壁に熱交固定具側引掛け部４ｃ、上面側の壁に熱交固定具側リブ４ｄを備え、露受けガイド側の支持部はＵ字形状３ｂとなっている。
【００１３】
このように構成されることにより、露受けガイド３は熱交換器固定具４の切り欠き部４ｂを通過して熱交換器の前面側より露受けガイド支持部４ａに挿入される。切り欠き部４ｂを通過した露受けガイド３は、熱交固定具側引掛け部４ｃをＵ字形状３ｂで囲うように固定される。従って、露受けガイド３の挿入方向及び長手方向に対して、熱交固定具側引掛け部４ｃが作用する。
【００１４】
また、上記位置に固定された露受けガイド３は、熱交固定具側リブ４ｄにより押さえられる。
【００１５】
上述の実施の形態によれば、熱交換器固定具４の露受けガイド支持部４ａに露受けガイド３の挿入方向側から切り欠き部４ｂを設けることにより、露受けガイド３が熱交換器前面の一方向のみから容易に取り付けを行うことができる。
【００１６】
また、露受けガイド支持部４ａの熱交換器固定具４側に露受けガイド３の熱交固定具側引掛け部４ｃを設けることにより、熱交換器から容易に外れないようにすることができる。
【００１７】
また、露受けガイド支持部４ａの熱交換器固定具４側に露受けガイドの浮き上がりを防止する熱交固定具側リブ４ｄを設けることにより、露受けガイド３の浮き上がりを防止することができる。
【００１８】
実施の形態２．
図５は実施の形態２を示す図で、空気調和機の露受けガイド支持部を示す断面図である。上記実施の形態１では、露受けガイド支持部４ａの熱交換器固定具側に熱交固定具側引掛け部４ｃ、熱交固定具側リブ４ｄを設けているが、図５のように、露受けガイド側に露受けガイド側引掛け部３ｄ、露受けガイド側リブ３ｃを設けてもよく、その場合、熱交換器固定具側は穴形状となり熱交固定側穴部４ｅが設けられ、同様の効果が得られる。
【００１９】
【発明の効果】
この発明に係る空気調和機の室内機は、屈曲した主熱交換器の上側熱交換器の空気吸い込み側に補助熱交換器を有し、上側熱交換器への屈曲部に上側熱交換器及び補助熱交換器からの凝縮水を受け、主熱交換器に導く露受けガイドと、この露受けガイドの支持部を設けた熱交換器固定具とを備えた空気調和機の室内機において、露受けガイドが熱交換器前面の一方向から挿入できるように熱交換器固定具の露受けガイド支持部に切り欠き部を設けたことにより、露受けガイドが熱交換器前面の一方向のみから容易に取り付け可能な空気調和機を得ることができる。
【図面の簡単な説明】
【図１】実施の形態１を示す図で、露受けガイド付きの空気調和機の室内ユニットを示す側断面図である。
【図２】実施の形態１を示す図で、空気調和機の熱交換器と露受けガイドを示す斜視図である。
【図３】実施の形態１を示す図で、空気調和機の露受けガイド支持部を示す断面図である。
【図４】実施の形態１を示す図で、空気調和機の露受けガイド支持部を示す断面図である。
【図５】実施の形態２を示す図で、空気調和機の露受けガイド支持部を示す断面図である。
【符号の説明】
１　室内ユニット本体、２　主熱交換器、２ａ　上側熱交換器、２ｂ　補助熱交換器、２ｃ　背面熱交換器、３　露受けガイド、３ｂ　Ｕ字形状、３ｃ　露受けガイド側リブ、３ｄ　露受けガイド側引掛け部、４　熱交換器固定具、４ａ　露受けガイド支持部、４ｂ　切り欠き部、４ｃ　熱交固定具側引掛け部、４ｄ　熱交固定具側リブ、４ｅ　熱交固定側穴部。
【図１】
2004108702.tif 000003
【図２】
2004108702.tif 000004
【図３】
2004108702.tif 000005
【図４】
2004108702.tif 000006
【図５】
2004108702.tif 000007